(57)【要約】      （修正有）【課題】メンテナンスが容易に行えるミスト浴装置を提供する。【解決手段】天井８０裏に設置されるケーシング１は、前方Ｆを向く正面壁１１と、正面壁１１に隣接する一側壁１２と、を備える。内部給水管２には、外部給水管が接続される継手部５が、内部給水管２の上流端となる前方側の端部の結合部に着脱自在に設けられ、前記結合部の後方側に一側壁１２側に突出するフィルタ部６０が設けられ、内部給水管２の継手部５およびフィルタ部６０が設けられた部分および前記結合部が前後に移動可能に形成される。正面壁１１に内部給水管２の上流端が挿通可能な正面孔１３が形成されるとともに、一側壁１２にフィルタ部６０が挿通可能な側壁孔１４が形成され、側壁孔１４の前後幅は、前記結合部を前記正面壁１１の後方から前記正面壁１１の前方に移動させたときに前記フィルタ部６０が前記側壁孔１４の中を移動可能な長寸に形成される。【選択図】図５
2014004095.tif 000002
【特許請求の範囲】
【請求項１】
天井裏に設置されるケーシングと、前記ケーシング内に、内部給水管と、前記内部給水管を流れる水を加熱する加熱手段と、を備え、前記加熱手段により加熱された温水のミストを天井に形成された開口部を介して噴霧するミスト浴装置であって、
前記ケーシングは、一側方を前方とした場合に前方を向く正面壁と、前記正面壁の向かって左右一端側に隣接する一側壁と、を備え、
前記内部給水管には、外部給水管が接続される継手部が、前記内部給水管の上流端となる前方側の端部の結合部において前記内部給水管と着脱自在に設けられるとともに、前記内部給水管は、前記結合部の後方側に設けられ前記一側壁側に突出するフィルタ部を備え、前記内部給水管の前記継手部および前記フィルタ部が設けられた部分および前記結合部が前後に移動可能に形成され、
前記正面壁に前記内部給水管の上流端が挿通可能な正面孔が形成されるとともに、前記一側壁に前記フィルタ部が挿通可能な側壁孔が形成され、前記側壁孔の前後幅は、前記結合部を前記正面壁の後方から前記正面壁の前方に移動させたときに前記フィルタ部が前記側壁孔の中を移動可能な長寸に形成されることを特徴とするミスト浴装置。
【請求項２】
前記一側壁に、ビスからなる固着具が挿通され前後長さが前記固着具の径よりも長い固着具挿通孔が形成され、前記内部給水管に付随する部材に前記固着具が螺着する螺着孔が形成されることを特徴とする請求項１記載のミスト浴装置。
【請求項３】
前記固着具挿通孔に、該固着具挿通孔を挿通する前記固着具の前後の移動を規制する規制部が設けられることを特徴とする請求項２記載のミスト浴装置。
【発明の詳細な説明】
【技術分野】
【０００１】
本発明は、浴室等の天井裏に設置されるミスト浴装置に関するものである。
【背景技術】
【０００２】
従来から、浴室等の天井裏に設置され、温水のミストを天井に形成された開口部を介して浴室内に噴霧するミスト浴装置が利用されている（例えば特許文献１参照）。このミスト浴装置は、天井裏に設置されるケーシング内に内部給水管および加熱手段を備え、内部給水管には水道等の水源から水を供給する外部給水管が接続される。
【先行技術文献】
【特許文献】
【０００３】
【特許文献１】特開２００６−７１１４２号公報
【発明の概要】
【発明が解決しようとする課題】
【０００４】
ところで、このようなミスト浴装置は、内部給水管に、外部給水管と接続するための継手部やフィルタ部が接続されており、フィルタの取替えや、継手部や外部給水管の交換といったメンテナンス（点検を含む）が作業者により行われる。
【０００５】
作業者は、このようなメンテナンスを行うにあたり、狭い天井裏にて作業を行っている。通常、天井裏は空間の上下高さが限られており、ミスト浴装置を上方より見たり上方で作業を行ったりすることが困難で、ミスト浴装置の一側方でのみの作業となる。しかしながら、従来のミスト浴装置においては、このようなフィルタの取替えや、継手部や外部給水管の交換といったメンテナンスを行うにあたり、内部給水管を容易に動かすことができないため、継手部とフィルタ部の連結箇所等の目視したい部分をケーシング外に引出すことができず、また、作業部位を作業者の方へ引き寄せたりすることもできず、メンテナンスが困難であった。
【０００６】
本発明は上記従来の問題点に鑑みて発明したものであって、その目的とするところは、メンテナンスが容易に行えるミスト浴装置を提供することを課題とするものである。
【課題を解決するための手段】
【０００７】
上記課題を解決するために、本発明は、以下のような構成とする。
【０００８】
天井８０裏に設置されるケーシング１と、前記ケーシング１内に、内部給水管２と、前記内部給水管２を流れる水を加熱する加熱手段３０と、を備え、前記加熱手段３０により加熱された温水のミストを天井８０に形成された開口部８３を介して噴霧するミスト浴装置３であって、前記ケーシング１は、一側方を前方Ｆとした場合に前方Ｆを向く正面壁１１と、前記正面壁１１の向かって左右一端側に隣接する一側壁１２と、を備え、前記内部給水管２には、外部給水管が接続される継手部５が、前記内部給水管２の上流端となる前方側の端部の結合部において前記内部給水管２と着脱自在に設けられるとともに、前記内部給水管２は、前記結合部の後方側に設けられ前記一側壁１２側に突出するフィルタ部６０を備え、前記内部給水管２の前記継手部５および前記フィルタ部６０が設けられた部分および前記結合部が前後に移動可能に形成され、前記正面壁１１に前記内部給水管２の上流端が挿通可能な正面孔１３が形成されるとともに、前記一側壁１２に前記フィルタ部６０が挿通可能な側壁孔１４が形成され、前記側壁孔１４の前後幅は、前記結合部を前記正面壁１１の後方から前記正面壁１１の前方に移動させたときに前記フィルタ部６０が前記側壁孔１４の中を移動可能な長寸に形成されることを特徴とする。
【０００９】
これにより、フィルタ部６０が側壁孔１４を挿通したまま、内部給水管２を前方へ移動させることができて、容易に継手部５と内部給水管２との連結部である結合部における連結状態を目視で確認することが可能となり、作業が容易となるものである。
【００１０】
また、前記一側壁１２に、ビスからなる固着具１７が挿通され前後長さが前記固着具１７の径よりも長い固着具挿通孔１５が形成され、前記内部給水管２に付随する部材に前記固着具１７が螺着する螺着孔が形成されることが好ましい。
【００１１】
これにより、固着具１７が固着具挿通孔１５を挿通したまま、内部給水管２を前方へ移動させることができて、作業が容易となるものである。
【００１２】
また、前記固着具挿通孔１５に、該固着具挿通孔１５を挿通する前記固着具１７の前後の移動を規制する規制部が設けられることが好ましい。
【００１３】
これにより、固着具１７が後方へ移動してしまうのを容易に防止することができ、作業者が自ら内部給水管２を保持する必要がなく、作業が容易となるものである。
【発明の効果】
【００１４】
本発明のミスト浴装置にあっては、メンテナンスが容易に行えるものである。
【図面の簡単な説明】
【００１５】
【図１】本発明のミスト浴装置の一実施形態の概略断面図である。
【図２】同上のミスト浴装置の全体構成を説明する断面図である。
【図３】同上のミスト浴装置が設置される浴室の全体斜視図である。
【図４】同上のミスト浴装置の制御系を説明するブロック図である。
【図５】同上のミスト浴装置の一部構成（ミスト用熱交換ユニットのケーシングの天板）を省略した斜視図である。
【図６】同上のミスト浴装置の一部構成（ミスト用熱交換ユニットのケーシングの天板）を省略した平面図である。
【図７】同上のミスト浴装置のミスト用熱交換ユニットのケーシングの斜視図である。
【図８】同上のミスト浴装置のメンテナンス時における一部構成（ミスト用熱交換ユニットのケーシングの天板、制御ボックス）を省略した斜視図である。
【図９】同上のミスト浴装置のメンテナンス時における一部構成（ミスト用熱交換ユニットのケーシングの天板）を省略した図８とは別の角度から見た斜視図である。
【図１０】同上のミスト浴装置のメンテナンス時における一部構成（ミスト用熱交換ユニットのケーシングの天板）を省略した平面図である。
【発明を実施するための形態】
【００１６】
以下、本発明を添付図面に示す実施形態に基いて説明する。
【００１７】
ミスト浴装置３は、温水のミストを噴霧するものであって、本実施形態では図３に示すように、ユニットバスのような浴室８に設置されるミスト機能付浴室暖房乾燥機（以下、単に「ミスト浴装置」という）である。このミスト浴装置３は浴室８内の暖房をしたり、浴室８内を換気したり、浴室８内を乾燥したり、浴室８内に干した洗濯物を乾燥したり、浴室８内に涼風を送風したり、浴室８内に温水のミストを噴霧してミスト浴をしたり、浴室８内に温水のミストを噴霧すると共に温風を吹き出してミストサウナ浴をしたりする機能を有する。なお、本発明におけるミスト浴装置３は、少なくとも温水のミストを噴霧する機能を有していればよい。
【００１８】
このミスト浴装置３は、図３に示すように、浴槽８１の上方の位置で浴室８の天井８０に設置してある。ミスト浴装置３の本体となるケーシング１は天井８０裏に設置してあり、吊り金具８２にて天井スラブ等に吊り支持してあり、ケーシング１の下面を浴室８の天井８０の開口部８３に臨ませてある。天井８０の下から開口部８３を覆うようにグリル板３１（図１参照）を配置してあり、グリル板３１をケーシング１の下面側に取り付けてある。なお、ミスト浴装置３は、浴槽８１が設置された浴室８の天井８０ではなく、浴槽８１が設置されていない部屋の天井８０に設置されてもよい。
【００１９】
ケーシング１は、ミスト浴装置３の外殻をなすもので、形状は特に限定されないが、本実施形態では、図１、図２、図５等に示すように、ミスト用熱交換ユニットのケーシング１ａと、温風用熱交換ユニットのケーシング１ｂの二つのケーシングで構成される。
【００２０】
温風用熱交換ユニットのケーシング１ｂ内には、図２に示すように、温風用熱交換器３２や送風機３３を内装してある。この温風用熱交換器３２は内部に温水を通すことで外部を流れる空気、つまり浴室８内に送り込まれる空気と温水とを熱交換して、空気を加熱するものである。この温風用熱交換器３２はケーシング１ｂに配管した暖房用温水管路３４の途中に配置してあり、暖房用温水管路３４には給湯暖房機のような熱源機８４（図３参照）から温水が供給されるようになっている。暖房用温水管路３４の途中には温風用熱交換器３２への温水の供給を開閉する熱動弁３５を設けてあり、暖房用温水管路３４の途中にはこの管路を流れる温水の温度を検出する暖房温水サーミスタ３６を配置してある。
【００２１】
送風機３３には、図１に示すように、浴室８内空気を循環させる浴室内循環ファン３３ａと、浴室８内空気を外部へ排出する換気ファン３３ｂとがある。図１中の符号３３ｃは逆風止めである。またケーシング１ｂの下面側には浴室内循環ファン３３ａで送風される空気を吹き出す吹き出し口３７を設けてあり、この吹き出し口３７には可動ルーバー３８を回転自在に装着してあり、可動ルーバー３８を回転することにより吹き出し口３７を開閉したり、吹き出し口３７から吹き出す風向を変えることができるようになっている。グリル板３１には浴室８内に空気を吸い込む吸い込み口３９を設けてあり、この吸い込み口３９の近傍に浴室温度サーミスタ４０を配置してある。
【００２２】
またミスト浴装置３には、ミスト浴の機能を持たせるためのミスト発生部を組み込んである。ミスト発生部のミストノズル２１はグリル板３１の部分に配置してあり、内部給水管２をミストノズル２１に連通させてある。このミストノズル２１としては、図２に示すように、２個のミストノズル２１ａ、２１ｂがあり、各ミストノズル２１ａ、２１ｂは０．５リットル／ｍｉｎ程度の流量で温水のミストを噴霧するようになっている。ミストノズル２１ａ、２１ｂの手前には電磁弁のようなミスト開閉弁２２ａ、２２ｂを設けてあり、ミスト開閉弁２２ａ、２２ｂの開閉にてミストノズル２１ａ、２１ｂから選択的に温水のミストが開口部８３を介して噴霧されるようになっている。２つのミストノズル２１ａ、２１ｂから温水のミストを噴霧すると、強のミスト量でミストを噴霧でき、一方のミストノズル２１ａ又はミストノズル２１ｂから温水のミストを噴霧すると、弱のミスト量で噴霧できるようになっている。
【００２３】
ミスト用熱交換ユニットのケーシング１ａに収容される内部給水管２には、例えば水道等の水源から水を供給する外部給水管（不図示）が接続されるもので、図５、図６に示すように、その上流端となる結合部に外部給水管が接続される継手部５が設けられる。また、継手部５の後方側にはフィルタ部６０を有するフィルタ流路部６が設けられ、その下流側に、内部給水管２に付随する部材として給水電磁弁７が設けられる。図６に示すように、継手部５とフィルタ流路部６、フィルタ流路部６と給水電磁弁７、給水電磁弁７と該給水電磁弁７から加熱手段３０へ至る給水管２４（内部給水管２の一部）とは、それぞれ連結手段２０により連結される。連結手段２０としては、例えばいわゆるクイックファスナが好適に用いられるが、特に限定されない。内部給水管２については後で詳述する。本実施形態では、継手部５、フィルタ流路部６、給水電磁弁７、給水電磁弁７から加熱手段３０へ至る給水管２４により、内部給水管２が構成されている。また、継手部５とフィルタ流路部６との間や、フィルタ流路部６と給水電磁弁７との間に、給水管が介在してもよく、またこの場合、介在する給水管と、継手部５やフィルタ流路部６や給水電磁弁７とが、クイックファスナー等の連結手段２０により連結されてもよい。本実施形態では、継手部５とフィルタ流路部６との間に給水管が介在しておらず、フィルタ流路部６の上流端となる前端部が、継手部５が設けられる内部給水管２の結合部となっている。
【００２４】
暖房用温水管路３４には、図２に示すように、温風用熱交換器３２と並列になるようにミスト加熱用管路４１を設けてあり、このミスト加熱用管路４１の途中にはミスト加熱用管路４１を流れる温水の流れを制御する比例弁４２を設けてある。またミスト加熱用管路４１と内部給水管２との間には液―液熱交換器であるミスト用熱交換器３０ａを配置してあり、ミスト加熱用管路４１を流れる温水で内部給水管２を流れるミスト用の水が加熱されるようになっている。内部給水管２におけるミスト用熱交換器３０ａとミスト開閉弁２２ａ、２２ｂとの間には、内部給水管２を流れる温水の温度を検出するミスト温度サーミスタ２３を配置してある。本実施形態では、ミスト用熱交換器３０ａが内部給水管２を流れる水を加熱する加熱手段３０を構成するが、加熱手段３０としては熱交換器でなく電気ヒータ等、他の手段であってもよい。
【００２５】
またミスト浴装置３は、図３に示すように、浴室８外の脱衣所に設けた操作器８５や浴室８内に設けた操作器８６にてリモコン操作されるようになっている。
【００２６】
図４はミスト浴装置３の制御部４３の一例を示している。制御部４３には、メモリ４４、演算回路４５等が内蔵されている。上記操作器８５や操作器８６をリモコン操作することで制御部４３にてミストを噴霧するなどの制御ができるようになっている。
【００２７】
ケーシング１ａは、図５に示すように、本実施形態では略矩形箱状をしたもので、一側方（「前方Ｆ」とする）を向く正面壁１１と、正面壁１１の向かって左右一端側（図５では左端側）に隣接する一側壁１２と、を備えている。
【００２８】
内部給水管２は、その上流端となる前方Ｆ側の端部の結合部に継手部５が設けられる。継手部５は、前方Ｆより、外部給水管が接続されるもので、前後を長手方向とする接続筒部５１と、接続筒部５１の後端部よりも外周に連設され、正面壁１１の前面に取り付けられるフランジ部５２と、を備えている。フランジ部５２には、固着具挿通孔５３（図８参照）が形成されており、ビス等の固着具５４が固着具挿通孔５３に挿通されて正面壁１１に形成される螺着孔（不図示）に螺着されることで、継手部５が正面壁１１に取り付けられる。接続筒部５１の後端に内部給水管２が接続されており、接続筒部５１の前端に外部給水管が着脱自在に接続されるようになっている。
【００２９】
内部給水管２の継手部５よりも後方側にフィルタ流路部６が設けられる。フィルタ流路部６は、図６に示すように、内部給水管２の一部をなす本体管部６１の側面から、一側壁１２側にフィルタ部６０が突設されて形成されている。フィルタ部６０は、一側壁１２側に突出する端部に開閉自在な蓋６２が設けられており、この蓋６２を開けて内部のフィルタを交換することができるようになっている。フィルタ部６０から挿入されたフィルタが、本体管部６１の内部に装填され、内部給水管２を流れる水の濾過が行われる。なお、フィルタ部６０は、全体が蓋６２となっていて、蓋６２が一側壁１２側に突出するものであってもよい。
【００３０】
内部給水管２のフィルタ流路部６よりも後方側に給水電磁弁７が設けられている。この給水電磁弁７は、本実施形態では、一側壁１２に取り付けられる（後述する）。
【００３１】
内部給水管２は、少なくとも継手部５およびフィルタ部６０が設けられた部分（これを「先端部２ａ」とし、本実施形態では給水電磁弁７が設けられた部分も含む）が前後に移動可能に形成される。本実施形態では、内部給水管２は平面視Ｚ字状に形成されており、その基端部２ｂがケーシング１ａの正面壁１１と対向する背面壁１６に固定されているミスト用熱交換器３０ａに取り付けられている。基端部２ｂよりも先端側が撓むことにより、先端部２ａが前後に移動可能となっている。なお、先端部２ａの前後の移動は、内部給水管２の撓みによるものの他、蛇腹部や他の手段によるものであってもよく、特に限定されない。また、ケーシング１ａの正面壁１１には、制御部４３を収容した制御ボックス４６が取り付けられる。
【００３２】
ケーシング１ａの正面壁１１には、図５に示すように、内部給水管２の上流端となる前端部が挿通可能な正面孔１３が形成されるもので、本実施形態では、正面壁１１の一側壁１２側の端部近傍に正面孔１３が形成されている。
【００３３】
ケーシング１ａの一側壁１２には、図５に示すように、フィルタ部６０が挿通可能な側壁孔１４が形成されるもので、本実施形態では、一側壁１２の正面壁１１側の部分に側壁孔１４が形成されている。この側壁孔１４は、その前後幅がフィルタ部６０の前後幅よりも長く、継手部５の内部給水管２への結合部（本実施形態ではフィルタ流路部６との連結部）を正面壁１１の後方から前方に移動させるときに、フィルタ部６０が側壁孔１４の中を移動可能な長寸に形成されるもので、本実施形態では前後方向を長手方向とする長孔により形成されているが、略正方形状や他の形状でもよく、形状は特に限定されない。
【００３４】
更に本実施形態では、ケーシング１ａの一側壁１２に、給水電磁弁７を一側壁１２に固定するためのビスからなる固着具１７が挿通される固着具挿通孔１５が形成されている。固着具挿通孔１５は、一側壁１２の側壁孔１４よりも後方に、固着具１７の径よりも前後長さが長い長孔として形成されている。給水電磁弁７には、対応する位置に固着具１７が螺着する螺着孔（不図示）が形成されている。固着具１７は、一側壁１２の外方より固着具挿通孔１５を介して給水電磁弁７の螺着孔に螺合され、固着具１７が締結されることで、固着具１７の頭部と給水電磁弁７とで一側壁１２が挟持されて給水電磁弁７と一側壁１２とが固定される。そして、固着具１７による締結が緩められると、固着具１７が長孔である固着具挿通孔１５を前後に移動可能となるとともに、給水電磁弁７も前後に移動可能となる。
【００３５】
通常時（すなわちミスト浴装置３の天井８０への設置後、メンテナンス時以外の時）には、図５〜図７に示すように、内部給水管２の上流端の継手部５が正面孔１３を介して正面壁１１より前方Ｆに突出した状態で、フランジ部５２が固着具５４により正面壁１１に固定されている。また、フィルタ部６０は側壁孔１４を介して一側壁１２側に突出しており、この時、フィルタ部６０は側壁孔１４の後部（本実施形態では後端）に位置している。また、給水電磁弁７は固着具１７により一側壁１２に固定されており、この時、固着具１７は固着具挿通孔１５の後部（本実施形態では後端）に固定されている。  
【００３６】
メンテナンス時には、固着具５４が外されることでフランジ部５２が正面壁１１から取り外されるとともに、固着具１７が緩められることで給水電磁弁７の一側壁１２への固定が外れる。これにより、内部給水管２の先端部２ａが前後に移動可能となるもので、本実施形態では、内部給水管２の先端部２ａの前後のストロークが約２０ｍｍ確保されるように、側壁孔１４と固着具挿通孔１５が形成される。そして、作業者は、図８〜図１０に示すように、内部給水管２の先端部２ａを前方Ｆへ移動させて、連結手段２０を外して継手部５とフィルタ流路部６との連結を解除し、継手部５の取替えや外部給水管の取替え、接続のし直しといった継手部５が関わるメンテナンスを行う。内部給水管２の先端部２ａを前方へ移動させる際、フィルタ部６０は側壁孔１４を前方へ移動することができるとともに、固着具１７は固着具挿通孔１５を前方へ移動することができ、内部給水管２の先端部２ａを前方へ移動の妨げとならない。
【００３７】
その後、再び継手部５のフィルタ流路部６への連結や、継手部５と外部給水管の連結等を行い、その連結状態を目視で確認して、内部給水管２の先端部２ａを後方へ移動させ、フィルタ部６０は側壁孔１４を後方へ移動する。そして、フランジ部５２を固着具５４により正面壁１１に固定するとともに、固着具１７により給水電磁弁７を一側壁１２に固定する。
【００３８】
このように、本発明においては、フィルタ部６０が側壁孔１４を挿通したまま、内部給水管２の先端部２ａを前方へ移動させることができて、前方への移動が容易となる。このため、作業者は、容易に継手部５とフィルタ流路部６との連結状態を目視で確認することが可能となり、また、フィルタ部６０内のフィルタの取替えや給水電磁弁７の取替えを行う場合にも、作業者側へ引き寄せることができるため作業が容易となる。
【００３９】
また、本実施形態では、内部給水管２の先端部２ａに付随する部材が給水電磁弁７であるが、他の部材であってもよく、内部給水管２に付随する部材は、内部給水管２の先端部２ａに固定されて固着具１７が螺着する螺着孔を有していればよい。
【００４０】
また、固着具挿通孔１５に、該固着具挿通孔１５を挿通する固着具１７の前後の移動を規制する規制部（不図示）が設けられてもよい。例えば、固着具挿通孔１５を、直線状をした本体孔とその前端部から側方に係止孔を連設されてなる側面視Ｌ字状に形成し、係止孔を規制部としてもよい。これにより、固着具１７を係止孔に位置させることで、固着具１７が後方へ移動してしまうのを容易に防止することができ、作業者が自ら内部給水管２を保持する必要がなく、作業が容易となるものである。
【符号の説明】
【００４１】
１    ケーシング
１ａ  ミスト用熱交換ユニットのケーシング
１ｂ  温風用熱交換ユニットのケーシング
１１  正面壁
１２  一側壁
１３  正面孔
１４  側壁孔
１５  固着具挿通孔
１６  背面壁
１７  固着具
２    内部給水管
２ａ  先端部
２ｂ  基端部
２０  連結手段
２１  ミストノズル
２４  給水管
３    ミスト浴装置
３０  加熱手段
３７  吹き出し口
３９  吸い込み口
４１  ミスト加熱用管路
４２  比例弁
５    継手部
５１  接続筒部
５２  フランジ部
５３  固着具挿通孔
５４  固着具
６    フィルタ流路部
６０  フィルタ部
６１  本体管部
６２  蓋
７    給水電磁弁
８    浴室
８０  天井
８３  開口部
Ｆ    前方
【図１】
2014004095.tif 000003
【図２】
2014004095.tif 000004
【図３】
2014004095.tif 000005
【図４】
2014004095.tif 000006
【図５】
2014004095.tif 000007
【図６】
2014004095.tif 000008
【図７】
2014004095.tif 000009
【図８】
2014004095.tif 000010
【図９】
2014004095.tif 000011
【図１０】
2014004095.tif 000012